(57)【要約】      （修正有）【課題】少なくとも所定時間を経過しなければ警報音が鳴り止まない携帯用警報装置を提供する。【解決手段】警報音を発する警報出力手段40と、該警報出力手段40を作動させる第１スイッチ手段30と、警報出力手段の作動を停止させる第２スイッチ手段と、警報出力手段40、第１スイッチ手段30及び第２スイッチ手段に接続され、第２スイッチ手段の操作によりカウントを開始する内部タイマーを具える制御手段20と、を具え、制御手段20は、第１スイッチ手段30を操作することにより警報出力手段40を作動させた後、第２スイッチ手段を操作することにより内部タイマーのカウントを開始し、内部タイマーが所定時間をカウントするまで、第２スイッチ手段を操作しても警報出力手段40を停止できないようにした。【選択図】図１
0003102993.tif 000002
【実用新案登録請求の範囲】
【請求項１】
警報音を発する警報出力手段(40)と、
該警報出力手段(40)を作動させる第１スイッチ手段(30)と、
警報出力手段の作動を停止させる第２スイッチ手段(32)と、
警報出力手段(40)、第１スイッチ手段(30)及び第２スイッチ手段(32)に接続され、第２スイッチ手段(32)の操作によりカウントを開始する内部タイマーを具える制御手段(20)と、
を具え、
制御手段(20)は、第１スイッチ手段(30)を操作することにより警報出力手段(40)を作動させた後、第２スイッチ手段(32)を操作することにより内部タイマーのカウントを開始し、内部タイマーが所定時間をカウントするまで、第２スイッチ手段(32)を操作しても警報出力手段(40)を停止できないようにしたことを特徴とする携帯用警報装置。
【請求項２】
制御手段(20)は、内部タイマーが所定時間をカウントしている間に第２スイッチ手段(32)を操作すると、内部タイマーをリセットし、再度所定時間のカウントを始める請求項１に記載の携帯用警報装置。
【請求項３】
警報出力手段(40)及び制御手段(20)は、筺体(12)の内部に収容され、筺体(12)の上面側に第１スイッチ手段(30)、下面側に第２スイッチ手段(32)が配備される請求項１又は請求項２に記載の携帯用警報装置。
【請求項４】
筺体(12)の下面側には、ベルト(19)が取り付けられており、筺体(12)の下面側を腕に押しつけてベルト(19)を腕に巻き付けることにより、携帯可能とした請求項３に記載の携帯用警報装置。
【請求項５】
筺体(12)には、ぶら下げ又はつり下げ用のストラップが取り付けられいる請求項３に記載の携帯用警報装置。
【考案の詳細な説明】
【技術分野】
【０００１】
本考案は、携帯用の警報装置に関するものであり、具体的には、警報音を鳴らした後、少なくとも所定時間経過しなければ、警報音を停止することができない携帯用警報装置に関するものである。
【背景技術】
【０００２】
従来の携帯用警報装置(「防犯ブザー」ともいう)として、非常時に使用者がスイッチを押すと警報音が鳴り、再度同じスイッチを押すことにより警報音を止めるものがある。また、警報装置のスイッチをピン式にし、非常時にはピンを引き抜くことにより、警報音が鳴るようにしたものもある。この種携帯用警報装置では、再度スイッチを押したり、ピンを差し込むと、同時に警報音が止まる。
【考案の開示】
【考案が解決しようとする課題】
【０００３】
従来の携帯用警報装置は、上述の如く、スイッチの操作、又は、ピンの差込みによって、直ぐに警報音が止まってしまうため、非常時に使用者が警報装置を操作して警報音を鳴らしても、例えば危害を加えようとする他人が素早くスイッチ操作を行なうと、周囲に警報音が十分に伝わることなく警報音が止められてしまうため、防犯効果が十分ではなかった。
本考案の目的は、少なくとも所定時間を経過しなければ警報音が鳴り止まない携帯用警報装置を提供することである。
【課題を解決するための手段】
【０００４】
上記課題を解決するために、本考案は、
警報音を発する警報出力手段と、
該警報出力手段を作動させる第１スイッチ手段と、
警報出力手段の作動を停止させる第２スイッチ手段と、
警報出力手段、第１スイッチ手段及び第２スイッチ手段に接続され、第２スイッチ手段の操作によりカウントを開始する内部タイマーを具える制御手段と、
を具え、
制御手段は、第１スイッチ手段を操作することにより警報出力手段を作動させた後、第２スイッチ手段を操作することにより内部タイマーのカウントを開始し、内部タイマーが所定時間をカウントするまで、第２スイッチ手段を操作しても警報出力手段を停止できないようにした。
【考案の効果】
【０００５】
本考案の携帯用警報装置によれば、第１スイッチ手段によって、警報出力手段を作動させた後、一旦第２スイッチ手段を操作し、その後、所定時間を経過しなければ、第２スイッチ手段による警報出力手段の停止を行なうことができない。このため、危害を加えようとする他人が、警報を止めようとしても所定時間は止めることができないから、防犯効果が高い。また、警報出力手段の作動と停止を異なるスイッチ手段によって行なうことにより、使用方法を知らない他人は、警報を止めることが困難であり、防犯効果をさらに高めることができる。
【考案を実施するための最良の形態】
【０００６】
図１至図４は、本考案の携帯用警報装置(10)である。携帯用警報装置(10)は、図示のように、ベルト(19)や紐(ストラップ)、クリップ等によって、使用者の腕や首、カバンや携帯電話等の携帯品に取付可能となっている。
携帯用警報装置(10)は、樹脂製の筺体(12)の内部に警報出力手段(40)、制御手段(20)及び電池(25)を収容して構成されている。筺体(12)の上面側には、図１に示すように、第１スイッチ手段(30)が臨出するよう配置されている。筺体(12)の上面には、環状の凹み(14)が形成されており、該凹み(14)の内側には上面が閉じた円筒状の収容部(15)が形成されている。収容部(15)には、図１及び図３に示すように、警報出力手段(40)が収容される。筺体(12)の一方の側面には、警報音と共に赤色に点滅するＬＥＤ(26)が臨出している。
図２及び図４は、筺体(12)の裏面側を示している。筺体(12)の裏面には、第２スイッチ手段(32)が臨出するよう配置されており、また、使用者の腕に嵌めるためのベルト(19)を通すバックル(18)が形成されている。ベルト(19)は、一端側に設けられたリング(19b)に、面ファスナー(19a)が設けられた他端側を挿通し、面ファスナー(19a)によって所望の締付け具合いで腕等に取り付けることができる。
【０００７】
筺体(12)は、上下に分割された上半体(13)と下半体(17)から構成することができる。
上半体(13)は、図１に示すように、前述の円筒状収容部(15)と、第１スイッチ手段(30)を筺体(12)の上向きに臨出させる孔(30a)が形成されている。収容部(15)には、ブザー等の警報出力手段(40)が配置されている。収容部(15)は、図３に示すように内側から蓋体(16)にて閉じられ、警報出力手段(40)のズレや脱落を防止している。
下半体(17)の内部は、図４に示すように、電池(25)と、制御手段(20)が搭載されるメイン基板(22)、コンデンサ(23)、スイッチ手段(30)(32)によって操作されるスイッチ用基板(24)と、ＬＥＤ(26)が配置されている。制御手段(20)については後述する。スイッチ用基板(24)は、第１スイッチ手段(30)及び第２スイッチ手段(32)からの入力信号をメイン基板(22)に伝達する。
また、下半体(17)には、第２スイッチ手段(32)を筺体(12)の下向きに臨出させる孔(32a)が形成されている。警報出力手段(40)、電池(25)、ＬＥＤ(26)、スイッチ用基板(24)は、夫々メイン基板(22)に電気的に接続されている。
上記上半体(13)と下半体(17)は、ネジ、接着等によって結合される。
【０００８】
上記構成の携帯用警報装置(10)は、筺体(12)の下面側を腕に押しつけるようにしてベルト(19)で留めて使用することができる。このように筺体(12)の下面側を腕に密着させることにより、下記にて説明する第２スイッチ手段(32)の操作は、警報装置(10)を腕から取り外してしか行なうことができず、防犯効果を高めることができる。
【０００９】
以下、制御手段(20)の動作について、フローチャート図５を参照しながら説明する。
第１スイッチ手段(30)が押下されると(ステップ１)、警報出力手段(40)が警報音を発する(ステップ２)。
警報出力手段(40)の作動を止めるには、まず、第２スイッチ手段(32)を１回押下する(ステップ３)。第２スイッチ手段(32)を押下すると、制御手段(20)の内部タイマーが時間のカウントを開始する(ステップ４)。内部タイマーが所定時間(例えば、３秒や５秒等)をカウントした後(ステップ５)、再度第２スイッチ手段(32)を押下すると(ステップ６)、警報出力手段(40)が停止する(ステップ７)。
即ち、内部タイマーが所定時間をカウントするまでは、第２スイッチ手段(32)を操作しても、警報出力手段(40)は停止することはない。
【００１０】
なお、フローチャート図６に示すように、内部タイマーが所定時間をカウントするまでに(ステップ５)、再度第２スイッチ手段(32)が押下された場合(ステップ８)に、内部タイマーの時間のカウントをリセットし(ステップ９)、再度カウントを開始するようにしてもよい。
【産業上の利用可能性】
【００１１】
本考案の携帯用警報装置によれば、少なくとも内部タイマーに設定された時間を経過しなければ、警報音を止めることができないので、防犯効果の向上に特に有用である。
【図面の簡単な説明】
【００１２】
【図１】本考案の携帯用警報装置を上側から見た斜視図である。
【図２】本考案の携帯用警報装置を下側から見た斜視図である。
【図３】携帯用警報装置の上半体を下側から見た図である。
【図４】携帯用警報装置の下半体を上側から見た図である。
【図５】本考案の携帯用警報装置の制御手段の動作を示すフローチャート図である。
【図６】制御手段の動作の異なる実施例を示すフローチャート図である。
【符号の説明】
【００１３】
(10)  携帯用警報装置
(12)  筺体
(20)  制御手段
(30)  第１スイッチ手段
(32)  第２スイッチ手段
【図１】
0003102993.tif 000003
【図２】
0003102993.tif 000004
【図３】
0003102993.tif 000005
【図４】
0003102993.tif 000006
【図５】
0003102993.tif 000007
【図６】
0003102993.tif 000008